(57)【特許請求の範囲】
【請求項１】
種々のデータや指令を入力する為の入力手段と、ディスプレイを有する表示手段と、入力されるテキストデータを記憶するテキストメモリと、印字対象体であるテープに印字する印字手段と、入力手段と表示手段と印字手段とを制御する制御手段とを備えたテープ状ラベル作成装置において、
複数のラベル名と各ラベル名に付随する複数の入力指示メッセージとを所定の書式で表示する為の表示情報と、各入力指示メッセージに付随的に入力されるテキストデータを各ラベル名毎の所定の書式で印字する為の印字用書式情報と、各ラベル名毎の所定の書式で印字した印字状態のレイアウトイメージを表示する為のイメージ表示情報とを、予め設定して格納した書式情報記憶手段と、
ラベル名選択時において、前記入力手段に設けられたイメージ解除キーを介して文字列表示モードが設定されたときには、書式設定手段から指定されたラベル名の表示情報を読み込んでラベル名の文字列を表示させ、また、入力手段に設けられたイメージキーを介してイメージ表示モードが設定されたときには、書式情報記憶手段から指定されたラベル名に関するイメージ表示情報を読み込んでレイアウトイメージを表示させる表示制御手段とを備え、
前記表示制御手段はテキストデータ入力時においてテキストデータ入力に際して、書式情報記憶手段に格納された複数の入力指示メッセージの文字列データを順々に読出して表示することを特徴とするテープ状ラベル作成装置。
【請求項２】
種々のデータや指令を入力する為の入力手段と、ディスプレイを有する表示手段と、入力されるテキストデータを記憶するテキストメモリと、印字対象体であるテープに印字する印字手段と、入力手段と表示手段と印字手段とを制御する制御手段とを備えたテープ状ラベル作成装置において、
複数のラベル名と各ラベル名に付随する複数の入力指示メッセージとを所定の書式で表示する為の表示情報と、各入力指示メッセージに付随的に入力されるテキストデータを各ラベル名毎の所定の書式で印字する為の印字用書式情報と、各ラベル名毎の所定の書式でサンプル印字した印字状態を表示する為のサンプル印字表示情報とを、予め設定して格納した書式情報記憶手段と、
ラベル名選択時において、前記入力手段に設けられたサンプル表示解除キーを介して文字列表示モードが設定されたときには、書式設定手段から指定されたラベル名の表示情報を読み込んでラベル名の文字列を表示させ、また、前記入力手段に設けられたサンプル表示キーを介してサンプル印字表示モードが設定されたときには、書式情報記憶手段から指定されたラベル名に関するサンプル印字表示情報を読み込んでサンプル印字した印字状態を表示させる表示制御手段とを備え、
前記表示制御手段はにおいてテキストデータ入力に際して、書式情報記憶手段に格納された複数の入力指示メッセージの文字列データを順々に読出して表示することを特徴とするテープ状ラベル作成装置。
【発明の詳細な説明】
【０００１】
【産業上の利用分野】
本発明は、テープ状ラベル作成装置に関し、特に、各種の定型書式のラベルを作成する為にラベル名を選択する際、ラベル名の文字列を表示させるだけでなく印字状態のレイアウトイメージを表示させたり、サンプル印字状態を表示させたりすることのできるテープ状ラベル作成装置に関する。
【０００２】
【従来の技術】
従来、本願出願人は、実開平１−８５０５０号公報に記載のように、キーボード、ディスプレイ、サーマルヘッドを有する印字機構を備え、印字対象体としてのテープ（例えば、テープ幅９mm、１２mm、２４mm）にインクリボンを介して文字や記号などのキャラクタを印字できるテープ状ラベル作成装置であって、ファイルの背表紙に貼付するのに適したテープ状のラベルを作成するのに好適のテープ状ラベル作成装置を提案するとともに、実用化した。
【０００３】
ところで、テープ状ラベルとしては、ファイルの背表紙に貼付するものだけでなく、例えば、ビデオテープやそのケースに貼付するラベル、オーディオテープやそのケースに貼付するラベル、或いは多数の書籍に貼付する管理用のラベルや、個人の所有物である文房具などに貼着する名札用ラベルなど、種々の用途に用いることが可能である。
【０００４】
そこで、本願の出願人は、これら複数種類のラベルを簡単に且つ迅速に作成し得るように、「ビデオテープ」、「ビデオテープのケース」、「オーディオテープ」や「オーディオテープのケース」などの複数のラベル名と、各ラベル名に付随する「タイトル（記録内容）」、「記録内容のジャンル」や「記録日」などの複数の入力指示メッセージとを表示する為の表示情報と、各入力指示メッセージに基づいて入力されるテキストデータを所定の定型書式で印字する為の定型書式情報とを予め設定しておき、複数のラベル名のうちの選択されたラベル名について、その入力指示メッセージを順次ディスプレイに表示するとともに、入力指示メッセージの表示を介して入力されたテキストデータを、入力指示メッセージの項目毎に記憶し、これらのテキストデータを定型書式情報を用いてテープに印字するテープ状ラベル作成装置を実用化しつつある。
【０００５】
この種のテープ状ラベル作成装置において、種々の定型書式のラベルを作成する機能がある場合、種々の定型ラベルのうちから所望のラベル名を選択する際に、ラベル名をディスプレイに表示させ、その表示を切換えてラベル名選択するように構成するのが普通である。
そして、従来のテープ状ラベル作成装置では、比較的小型のディスプレイが設けられる関係上、その小型のディスプレイ上に、ラベル名の選択の為に、特殊な複雑な表示を行うことは何ら提案されていなのが実情である。
【０００６】
【発明が解決しようとする課題】
前記種々の定型書式のラベルを作成する機能のあるテープ状ラベル作成装置では、ラベル名を選択する際、ラベル名をディスプレイに表示できるだけであるから、テキストデータの入力前に予め印字状態、つまり定型書式の書式内容を確認することができなかったので、ラベル名（ラベルの種類）の選択が難しく、マニュアルを詳細に参照する等によりラベル名の選択に多くの時間がかかり、不適切なラベル名を選択してテキストデータ入力後印字してみて不本意なラベルであることに気付いたり、テキストデータ入力の途中で所期のラベルを作成できないことに気付いたり、ラベルを印字しその印字状態を見るまでラベル名の選択が正しかったか否か不安になる、等の問題がある。
【０００７】
本発明の目的は、複数の定型ラベルのラベル選択の際、指定したラベル名を文字列で表示させる他に、印字状態のレイアウトイメージを表示させたり、サンプル印字状態を表示させたりすることのできるテープ状ラベル作成装置を提供することである。
【０００８】
【課題を解決するための手段】
請求項１に係るテープ状ラベル作成装置は、種々のデータや指令を入力する為の入力手段と、ディスプレイを有する表示手段と、入力されるテキストデータを記憶するテキストメモリと、印字対象体であるテープに印字する印字手段と、入力手段と表示手段と印字手段とを制御する制御手段とを備えたテープ状ラベル作成装置において、複数のラベル名と各ラベル名に付随する複数の入力指示メッセージとを所定の書式で表示する為の表示情報と、各入力指示メッセージに付随的に入力されるテキストデータを各ラベル名毎の所定の書式で印字する為の印字用書式情報と、各ラベル名毎の所定の書式で印字した印字状態のレイアウトイメージを表示する為のイメージ表示情報とを、予め設定して格納した書式情報記憶手段と、ラベル名選択時において、前記入力手段に設けられたイメージ解除キーを介して文字列表示モードが設定されたときには、書式設定手段から指定されたラベル名の表示情報を読み込んでラベル名の文字列を表示させ、また、入力手段に設けられたイメージキーを介してイメージ表示モードが設定されたときには、書式情報記憶手段から指定されたラベル名に関するイメージ表示情報を読み込んでレイアウトイメージを表示させる表示制御手段とを備え、前記表示制御手段はテキストデータ入力時においてテキストデータ入力に際して、書式情報記憶手段に格納された複数の入力指示メッセージの文字列データを順々に読出して表示するものである。
【０００９】
請求項２に係るテープ状ラベル作成装置は、種々のデータや指令を入力する為の入力手段と、ディスプレイを有する表示手段と、入力されるテキストデータを記憶するテキストメモリと、印字対象体であるテープに印字する印字手段と、入力手段と表示手段と印字手段とを制御する制御手段とを備えたテープ状ラベル作成装置において、複数のラベル名と各ラベル名に付随する複数の入力指示メッセージとを所定の書式で表示する為の表示情報と、各入力指示メッセージに付随的に入力されるテキストデータを各ラベル名毎の所定の書式で印字する為の印字用書式情報と、各ラベル名毎の所定の書式でサンプル印字した印字状態を表示する為のサンプル印字表示情報とを、予め設定して格納した書式情報記憶手段と、ラベル名選択時において、前記入力手段に設けられたサンプル表示解除キーを介して文字列表示モードが設定されたときには、書式設定手段から指定されたラベル名の表示情報を読み込んでラベル名の文字列を表示させ、また、入力手段に設けられたサンプル表示キーを介してサンプル印字表示モードが設定されたときには、書式情報記憶手段から指定されたラベル名に関するサンプル印字表示情報を読み込んでサンプル印字した印字状態を表示させる表示制御手段とを備え、前記表示制御手段はテキストデータ入力時においてテキストデータ入力に際して、書式情報記憶手段に格納された複数の入力指示メッセージの文字列データを順々に読出して表示するものである。
【００１０】
【作用】
請求項１に係るテープ状ラベル作成装置においては、入力する為の入力手段と、ディスプレイを有する表示手段と、テキストメモリと、テープに印字する印字手段と、これらの手段を制御する制御手段とが設けられており、書式情報記憶手段には、複数のラベル名と各ラベル名に付随する複数の入力指示メッセージとを所定の書式で表示する為の表示情報と、各入力指示メッセージに付随的に入力されるテキストデータを各ラベル名毎の所定の書式で印字する為の印字用書式情報と、各ラベル名毎の所定の書式で印字した印字状態のレイアウトイメージを表示する為のイメージ表示情報とが、予め設定して格納されている。
表示制御手段は、ラベル名選択時において、入力手段に設けられたイメージ解除キーを介して文字列表示モードが設定されたときには、書式設定手段から指定されたラベル名の表示情報を読み込んでラベル名の文字列を表示させる。この場合、表示制御手段は、テキストデータ入力に際して、書式情報記憶手段に格納された複数の入力指示メッセージの文字列データを順々に読出して表示する。表示制御手段は、更に、入力手段に設けられたイメージキーを介してイメージ表示モードが設定されたときには、書式情報記憶手段から指定されたラベル名に関するイメージ表示情報を読み込んでレイアウトイメージを表示させる。
【００１１】
請求項２に係るテープ状ラベル作成装置においては、入力手段と、ディスプレイを有する表示手段と、テキストメモリと、テープに印字する印字手段と、これらの手段を制御する制御手段とが設けられており、書式情報記憶手段には、複数のラベル名と各ラベル名に付随する複数の入力指示メッセージとを所定の書式で表示する為の表示情報と、各入力指示メッセージに付随的に入力されるテキストデータを各ラベル名毎の所定の書式で印字する為の印字用書式情報と、各ラベル名毎の所定の書式でサンプル印字した印字状態を表示する為のサンプル印字表示情報とが、予め設定して格納されている。
表示制御手段は、ラベル名選択時において、入力手段に設けられたサンプル表示解除キーを介して文字列表示モードが設定されたときには、書式設定手段から指定されたラベル名の表示情報を読み込んでラベル名の文字列を表示させる。この場合、表示制御手段は、文字列表示モードにおいてテキストデータ入力に際して、書式情報記憶手段に格納された複数の入力指示メッセージの文字列データを順々に読出して表示する。表示制御手段は、更に、入力手段に設けられたサンプル表示キーを介してサンプル印字表示モードが設定されたときには、書式情報記憶手段から指定されたラベル名に関するサンプル印字表示情報を読み込んでサンプル印字した印字状態を表示させる。
【００１２】
【実施例】
以下、本発明の実施例について図面に基いて説明する。
本実施例は、ひらかなや漢字や記号などの多数のキャラクタを印字対象体であるラミネートテープ（印字テープ）に印字してテープ状のラベルを作成する、テープ状ラベル作成装置に本発明を適用した場合のものである。
図１に示すように、テープ状ラベル作成装置１の本体フレーム２の前部にはキーボード３が配設され、キーボード３の後方で本体フレーム２内にはサーマル印字機構ＰＭが配設され、またキーボード３の直ぐ後側には、入力した文字や記号を２行分表示可能な液晶ディスプレイ４が設けられている。ここで、符号５は、印字機構ＰＭのカバーケースを開ける為の操作ツマミである。
【００１３】
キーボード（入力手段に相当する）３には、アルファベット文字や数字や記号を入力する為の文字キー、スペースキー、改行キー、カーソル  を．上下左右方向に夫々移動させる為のカーソル移動キー、ビデオテープやオーディオテープ或いはそのケースに貼着するのに適したラベルを簡単に作成する定型ラベル作成キー、取消キー、メモリキー、テキスト登録キー、イメージキー、イメージ解除キー、実行キー、コードキー等の種々の編集キー、印字用書式設定の為の種々のキー、印字を指令する印字キー、電源をＯＮ・ＯＦＦする為の電源キーなどが設けられている。
【００１４】
次に、サーマル印字機構（印字手段に相当する）ＰＭについて、図２に基いて簡単に説明する。
このサーマル印字機構ＰＭには、着脱自在に矩形状のテープカセット１０が装着されており、このテープカセット１０には、印字対象体であるラミネートテープ１１が巻装されたテープスプール１２と、インクリボン１３が巻装されたリボンスプール１４と、このインクリボン１３を巻取るリボン巻取りスプール１５と、ラミネートテープ１１と同一幅を有する両面テープ１２が剥離紙を外側にして巻装された供給スプール１７と、これらラミネートテープ１１と両面テープ１６とを押圧して接合させる接合ローラ１８とが回転自在に設けられている。
【００１５】
前記ラミネートテープ１１とインクリボン１３とが重なる位置には、サーマルヘッド１９が立設され、これらラミネートテープ１１とインクリボン１３とをサーマルヘッド１９に押圧するプラテンローラ２０と、ラミネートテープ１１と両面テープ１６とを接合ローラ１８に押圧してテープ状ラベル２３を作成しながらテープ送りする送りローラ２１とは、本体フレーム２に回動自在に枢着されたローラ支持体２２に回転可能に枢支されている。このサーマルヘッド１９には、１２８個の発熱素子が上下方向に列設されている。
【００１６】
従って、テープ送りモータ３６（図３参照）の所定回転方向への駆動により、接合ローラ１８とリボン巻取りスプール１５とが所定回転方向に夫々同期して駆動されながら、サーマルヘッド１９の複数の発熱素子に通電されたとき、ラミネートテープ１１の裏面側には、複数のドット列により文字や記号が鏡像で印字され、しかもラミネートテープ１１の裏面側に両面テープ１６が接合されてテープ状ラベル２３が作成され、テープ送り方向Ｔに送給されて、図１・図２に示すように、本体フレーム２の外部に繰出される。尚、サーマル印字機構ＰＭの詳細については、特開平２−１０６５５５号公報を参照。
【００１７】
ところで、前記テープカセット１０として、テープスプール１２に巻装されたラミネートテープ１１のテープ幅が、６mm、９mm、１２mm、１８mm、２４mmである５種類が準備されており、このテープカセット１０の底壁部には、３つの検出用穴２４〜２６が形成され、これら５種類のテープ幅の何れかを検出できるように、これら検出用穴２４〜２６の幾つかが組合せて塞がれている。そして、このテープカセット１０の下側を支持する本体フレーム２には、これら塞がれた検出用穴２４〜２６の組合せから、テープ幅やテープ種類などを検出してテープカセット情報を出力するカセットセンサ３０（図３参照）が取付けられている。
【００１８】
次に、テープ状ラベル作成装置１の制御系は、図３のブロック図に示すように構成されている。
制御装置Ｃの入出力インターフェース４４には、キーボード３と、カセットセンサ３０と、液晶ディスプレイ（ＬＣＤ）４に表示データを出力する為のビデオＲＡＭ３１を有するディスプレイコントローラ（ＬＣＤＣ）３２と、警告用ブザー３３の為の駆動回路３４と、サーマルヘッド１９を駆動する為の駆動回路３５と、テープ送りモータ３６を駆動する為の駆動回路３７とが、夫々接続されている。
【００１９】
制御装置Ｃは、ＣＰＵ４０と、このＣＰＵ４０にデータバスなどのバス４５を介して接続された入出力インターフェース４４、表示用キャラクタジェネレータＲＯＭ（表示用ＣＧＲＯＭ）４１、印字用キャラクタジェネレータＲＯＭ（印字用ＣＧＲＯＭ）４２、ＲＯＭ４３及びＲＡＭ５０とから構成されている。
表示用ＣＧＲＯＭ４１には、アルファベット文字や記号などの多数のキャラクタの各々に関して、所定文字サイズの表示用ドットパターンデータが格納されている。印字用ＣＧＲＯＭ４２には、アルファベット文字や記号などの多数のキャラクタの各々に関して、印字用ドットパターンデータが、各書体毎にコードデータに対応させて、複数の印字文字サイズ分格納されている。
【００２０】
ＲＯＭ４３には、キーボード３から入力された文字や数字や記号などのキャラクタのコードデータに対応させてディスプレイコントローラ３２を制御する表示駆動制御プログラム、印字に供する１ドット列毎のドットパターンデータを順次サーマルヘッド１９やテープ送りモータ３６に転送して印字する印字駆動制御プログラム、テキスト入力制御、定型ラベル作成制御などの制御プログラムが格納されている。
【００２１】
ところで、このテープ状ラベル作成装置１で作成可能なラベル名として、ＶＨＳのビデオテープ自体に貼付する「ビデオＶＨＳテープ」、８mmビデオテープ自体に貼付する「ビデオ８mm＆Hi８テープ」、そのビデオテープのケースに貼付する「ビデオ８mm＆Hi８ケース」、ＶＨＳのコンパクト型ビデオテープ自体に貼付する「ビデオＶＨＳ−Ｃテープ」、そのビデオテープのケースに貼付する「ビデオＶＨＳ−Ｃケース」、オーディオカセットテープ自体に貼付する「オーディオカセットテープ」、・・・など、多数設けられている。更に、ユーザーが入力設定して登録した登録ファイルをラベル名として呼び出す「登録ファイルの呼出し」が設けられている。
【００２２】
即ち、このＲＯＭ４３には、図４に示すように、これら複数のラベル名の各々について、ラベル印字の為のラベル固有情報の先頭アドレスとラベル名テーブルの先頭アドレスとイメージテーブルの先頭アドレスとを記憶したラベルインデックステーブルと、各ラベル毎の固有データを記憶したラベル固有情報テーブルと、ラベル名を表示する表示データを記憶したラベル名テーブルと、各ラベル名毎の所定の定型の印字書式で印字した印字状態のレイアウトイメージの表示データを記憶したイメージテーブルと、各ラベル名に設けられた複数の入力指示メッセージの表示データを記憶した入力指示メッセージテーブルとが設けられている。
ここで、ラベルインデックステーブルにおいて、図示の複数のラベル名の各々には、ラベル名固有のラベル番号「−１」、「０」、「１」、「２」、・・・・が各ラベル名毎に格納されている。ここで、これら複数のラベル名は、ＲＯＭ４３に予め設定されて固定的に格納されているので、以下、ＲＡＭ５０に登録される登録ラベル名と区別して、固定ラベル名という。
【００２３】
更に、複数のラベル固有データの各々には、図５に示すように、ラベル印字の為の全体書式情報、ラベル印字に最適なテープ幅データ、メッセージテーブルの先頭アドレス、印字に供する予め設定した、「分」や「年月日」などの特定の文字や記号であるデフォルトデータを有する入力指示項目数データ、デフォルトデータを有する入力指示項目番号データ、デフォルトデータの先頭アドレス、デフォルトデータのバイト数、カーソル表示位置のデータに加えて、各入力指示メッセージの入力指示メッセージテーブルにおける先頭アドレス、複数のデフォルトデータ、ラベル印字に供する入力データ印字用行書式情報として、各ブロックデータ毎の各行の行書式データが、改行コード又は改ブロックコードで区切られて格納されている。但し、カーソル表示位置データとして、「−１」は行末を指示し、「０」は行頭を指示し、また数字Ｄは表示桁位置を指示するものである。
【００２４】
ここで、このテープ状ラベル作成装置１で作成できる固定ラベル名の幾つかを、図６に基づいて簡単に説明する。
ユーザーが作成して登録した登録ラベル名「登録ファイルの呼び出し」は、ラベル番号が「−１」で、テキストデータが入力指示メッセージとして表示され、また最適テープ幅は設定されたテープ幅である。
固定ラベル名「ビデオＶＨＳテープ」（ラベル番号が「０」）や「ビデオ８mm＆Hi８ケース」（ラベル番号が「２」）や「ビデオＶＨＳ−Ｃケース」（ラベル番号が「４」）などは、第１入力指示メッセージとして「シンボルは？」、第２入力指示メッセージとして「タイトルは？」、第３入力指示メッセージとして「コメントは？」、第４入力指示メッセージとして「録画時間」、第５入力指示メッセージとして「標準？」、第６入力指示メッセージとして「録画日」、また最適テープ幅は「１８mm」或いは「１２mm」である。
【００２５】
また、固定ラベル名「ビデオ８mm＆Hi８テープ」（ラベル番号が「１」）、「オーディオカセットテープ」（ラベル番号が「５」）、「オーディオＤＡＴテープ」（ラベル番号が「７」）、「名前  名札」（ラベル番号が「９」、「１０」）、「管理備品」（ラベル番号が「１１」、「１２」）・・・などの入力指示メッセージ及び最適テープ幅は図示の様に設定されている。
更に、その他の固定ラベル名として図示しないが、「フロッピー  3.5 インチ」、「フロッピー  ５インチ」、「プライスカード」、「書類宛名」や「手紙宛名」・・・などを含み多数の固定ラベル名が準備されている。
【００２６】
前記ＲＡＭ５０には、テキスト入力制御により、キーボード３から入力されたキャラクタのコードデータや、定型ラベルデータ入力制御により、入力指示メッセージに付随的にキーボード３から入力されたテキストデータを格納するテキストメモリ５１、選択されたラベル名に関する全体書式情報を格納する全体書式情報メモリ５２、図４に示すように、ラベルインデックステーブルに格納されたラベルを順次指示するラベルポインタＬＰと、入力指示メッセージテーブルに格納された入力指示メッセージを順次指示する入力指示項目ポインタＫＰとを格納するポインタメモリ５３、サーマル印字機構ＰＭに装着されているテープカセット１０のラミネートテープ１１のテープ幅データを格納するテープ情報メモリ５４、ユーザーが登録した登録ファイルを格納する登録ファイルメモリ５５に加えて、そのテキストメモリ５１に格納されたキャラクタコードに対応するドットパターンデータを展開して格納する印字データバッファ５６、その他ＣＰＵ４０で演算した演算結果を一時的に格納するワークメモリなどが設けられている。
【００２７】
次に、テープ状ラベル作成装置１の制御装置Ｃで行なわれる、テキスト入力制御（これが、メインルーチンである）、定型ラベル作成制御のルーチンについて、図７〜図９のフローチャートと、図１０、図１１に基いて説明する。尚、フローチャート中の符号Ｓｉ（ｉ＝１０、１１、１２・・・）は各ステップである。
キーボード３上の電源キーの操作により電源が投入されると、先ず、文書データを入力する通常のテキスト入力制御が起動され、ディスプレイ４には、テキスト入力画面が表示される。そして、文字キーや数字キーや記号キー、更には改行キーや改ブロックキーなどの、編集キー以外の印字可能キーが操作されたときには（Ｓ11：Yes ）、その入力されたキーに対応するコードデータが文書データとしてテキストメモリ５１に格納されるとともに、その操作されたキーに対応する文字や記号がディスプレイ４に表示され（Ｓ12）、Ｓ10に戻る。
【００２８】
次に、メモリキーが操作されたときには（Ｓ13：Yes ）、テキストメモリ５１に入力したテキストデータをファイルとしてテキストメモリ５１に登録する文書データ登録処理が実行され（Ｓ14）、Ｓ10に戻る。印字キーが操作されたときには（Ｓ15：Yes ）、入力されてテキストメモリ５１や登録ファイルメモリ５５に格納されているファイルのうち、選択されたファイルのテキストデータが印字処理され（Ｓ16）、Ｓ10に戻る。
ところで、ビデオテープやオーディオテープ或いはそれらのケースに貼着する所望のラベルを作成する為に、定型ラベル作成キーが操作されたときには（Ｓ17：Yes ）、定型ラベル作成制御（図８〜図１１参照）が実行され（Ｓ18）、Ｓ10に戻る。テキスト登録キーが操作されたときには（Ｓ19：Yes ）、登録ラベル作成の為のテキストデータを登録ファイルメモリ５５に登録するテキスト登録制御が実行され（Ｓ20）、Ｓ10に戻る。そして、前記以外の種々キーが操作されたときには、そのキー操作に応じた処理が実行される（Ｓ21）。
【００２９】
次に、定型ラベル作成制御について説明する。
図８に示すように、この制御が開始されると、カセットセンサ３０からテープカセット情報が読み込まれて、テープ情報メモリ５４に格納され（Ｓ30）、このテープカセット情報に基づいて、テープカセット１０が装着されているときには（Ｓ31：Yes ）、図４に示すように、ラベルインデックステーブルの先頭のラベル名「登録ファイルの呼び出し」を指示し、ラベル名選択画面がディスプレイ４に表示される（Ｓ33）。例えば、このラベル名選択画面の表示の場合、ラベルポインタＬＰに基づいて、ユーザーが作成して登録した最初のラベル名「登録ファイルの呼び出し」がディスプレイ４の下段の表示領域４ｂに表示される。
また、テープカセット１０が装着されていないときには（Ｓ31： No ）、ディスプレイ４にエラーメッセージが表示され（Ｓ32）、メインルーチンへ戻る。
【００３０】
次に、Ｓ33の次のラベル名選択制御について説明する。
図９に示すように、ラベル名選択画面がディスプレイ４に表示された状態において、最初ラベルポインタＬＰが「−１」に設定されるとともに、表示フラグＣＦが文字列表示モードを示す「１」に設定され（Ｓ40）、次に、表示フラグＣＦが１か否か判定し、最初はＣＦ＝１であるため（Ｓ41：Yes ）、Ｓ42において、ラベルポインタＬＰが指示するラベル名の文字列データが読み込まれ、ラベル名の文字列がディスプレイ４の下段表示領域４ｂに表示される。
【００３１】
この場合、最初、ラベルポインタＬＰ＝−１であるため、ラベルインデックステーブルの「登録ファイルの呼び出し」の先頭アドレスにより、ラベル名テーブルの「ファイルの呼び出し」の表示データが読み込まれて「ファイルの呼び出し」と表示される。
次に、キー入力が有ると（Ｓ44：Yes ）、キー操作に応じて次のような処理が実行れる。即ち、下カーソル移動キーが操作されると（Ｓ45: Yes ）、ラベルポインタＬＰがインクリメントされて、次のラベル名に切換えられ（Ｓ46）、Ｓ41へ戻る。その結果、次のラベル名の文字列が前記同様に表示される。上カーソル移動キーが操作されると（Ｓ47: Yes ）、ポインタＬＰがデクリメントされて、前のラベル名に切換えられ（Ｓ48）、Ｓ41へ戻る。その結果、１つ前のラベル名の文字列が前記同様に表示される。こうして、ラベルポインタＬＰを介してラベル名の切換えがなされる。
【００３２】
イメージキーが操作されると（Ｓ50：Yes ）、表示フラグＣＦがイメージ表示モードを指示する０に切換えられ（Ｓ50）、Ｓ41へ戻る。
表示フラグＣＦ＝０になるとＳ41からＳ43へ移行し、Ｓ43において、ラベルポインタＬＰが指示するラベル名のイメージデータが、ＲＯＭ４３から読み込まれ、そのラベル名に予め設定されている所定の印字書式で印字した印字状態のレイアウトイメージがイメージ表示でディスプレイ４の全域に表示される。この場合、ラベルインデックステーブルのポインタＬＰに対応する先頭アドレスに基づいてイメージテーブルから指定されたラベル名に関するイメージ表示データが読み込まれ、そのレイアウトイメージが表示される。
【００３３】
図１０には、ラベルインデックス「０」の「ビデオＶＨＳテープ」を文字列表示で表示した例を図示してあり、図１１には、同じく、ラベルインデックス「０」の「ビデオＶＨＳテープ」に関する印字状態のレイアウトイメージを表示した表示例を図示してあり、図１２には、同じくラベルインデックス「０」の「ビデオＶＨＳテープ」を選択してテキストデータ入力後、このラベル名に設定された所定の印字書式で印字して作成されたテープ状ラベル２３の例を図示してある。
【００３４】
前記イメージ表示モードを解除する為に、イメージ解除キーが操作されると（Ｓ51：Yes ）、表示フラグＣＦが１に切換えられ（Ｓ52）、Ｓ41へ戻る。それ故、再び、元の文字列表示モードに切換えられることになる。以上のような処理を介して、所望のラベル名を決めてから、選択したラベル名を設定する場合には、実行キーを操作すると（Ｓ53：Yes ）、定型書式情報展開処理が実行され、その後、図８のＳ34へ戻る。
この定型書式情報展開処理においては、ラベルポインタＬＰで指示される選択されたラベル名に関する全体書式情報がＲＯＭ４３から読み出されて全体書式情報メモリ５２にそっくり複写転送して格納されるとともに、その選択されたラベル名に関する行書式情報がＲＯＭ４３から読み出されてテキストメモリ５１の作成中のファイルに複写転送して格納される。
【００３５】
図８のＳ34では、定型ラベルデータ入力処理が実行されるが、この処理について簡単に説明すると、選択設定されたラベル名について、ディスプレイ４の上段表示領域４ａに、入力指示メッセージが１項目ずつ表示され、ディスプレイ４の下段表示領域４ｂには、その表示中の入力指示メッセージに対応するテキストデータ入力欄が表示されるので、その入力指示メッセージの指示に従ってテキストデータが入力され、これが全部の入力指示メッセージ分だけ繰り返されると、定型ラベルデータ入力処理が終了するので、その後、定型ラベル作成制御内において印字処理するか、又は、メインルーチンに復帰後に印字処理すればよい。
【００３６】
以上のテープ状ラベル作成装置１の作用について説明する。
前記制御装置ＣのＲＯＭ４３に、図４に示すラベルインデックステーブル、ラベル固有情報テーブル、ラベル名テーブル、イメージテーブル、入力指示メッセージテーブル等を設け、ＲＡＭ５０にテキストメモリ５１等の種々のメモリ類を設け、所望のラベル名を選択して、入力指示メッセージに従ってテキストデータを入力格納し、ラベル毎の所定の印字書式で印字処理可能に構成したので、テキストデータを能率的に実行し、予め設定された定型書式のラベルを能率的に作成することができる。
【００３７】
特に、ラベル名選択の際、ラベル名を文字列表示でディスプレイ４に表示させたり、印字状態のレイアウトイメージをイメージ表示でディスプレイ４に表示させたりすることができる。指定したラベル名を単に文字列で表示するだけでは、印字状態を把握できないが、所定の定型の印字書式で印字した印字状態のレイアウトイメージを表示させて、印字状態を的確に把握できるため、操作マニュアル等をじっくり参照しなくとも、ラベル名選択を簡単に的確に能率的に行うことができ、テキストデータの入力前に、印字状態のレイアウトイメージを知ることができるため、誤って不本意な定型ラベルを作成してしまうのを確実に防止することができる。
【００３８】
別実施例・・・図１３〜図１５参照
次に、前記実施例を部分的に変更した別実施例について説明する。
図１３と図１４は、図９を部分的に変更したフローチャートであるが、本実施例では、ラベル名を文字列表示する前記同様の文字列表示モードと、印字状態のレイアウトイメージを前記同様にイメージ表示するイメージ表示モードの他に、サンプル的に印字した印字状態を表示するサンプル印字表示モードを設けてある。即ち、キーボード３には、サンプル表示キー及びサンプル表示解除キーが追加的に設けられ、ＲＯＭ４３には、更に付加的に、各ラベル名毎の所定の定型の印字書式でサンプル印字（サンプルのテキストデータで印字）した印字状態のサンプル印字表示データを記憶したサンプル印字テーブルが予め設定されており、また、ラベルインデックステーブルには、各ラベルインデックス毎に、サンプル印字テーブルの先頭アドレスも格納されている。
【００３９】
図１３に示すように、表示フラグＣＦ＝１のとき文字列表示モードとなり、表示フラグＣＦ＝２のときイメージ表示モードとなり、表示フラグＣＦ＝３のときサンプル印字表示モードとなる。
最初、Ｓ60においては、前記Ｓ４０と同様に、ラベルポインタＬＰが−１に設定され、表示フラグＣＦが１に設定される。そして、Ｓ61の判定により、表示フラグＣＦ＝１のときには、Ｓ62において前記Ｓ42と同様の処理が実行され、また、表示フラグＣＦ＝２のときには、Ｓ63において前記Ｓ43と同様の処理が実行される。
そして、表示フラグＣＦ＝３のときには、Ｓ64において、ＲＯＭ４３からラベルポインタＬＰが指示するラベル名のサンプル印字表示データが読み込まれ、ディスプレイ４の全域にサンプル印字状態が表示される。この場合、指定されたラベル名について、ラベルインデックステーブルの先頭アドレスから、サンプル印字テーブルが検索され、ラベルポインタＬＰが指示するラベル名のサンプル印字表示データが読み込まれて表示されることになる。図１５は、ディスプレイ４に表示されたサンプル印字状態の一例であり、内側の矩形枠は、テープ状ラベルの外形を示す。
【００４０】
Ｓ65〜Ｓ69は、前記実施例のＳ44〜Ｓ48と同様であるので、これらについての説明は省略し、イメージキーが操作されると（Ｓ70：Yes ）、フラグＣＦが２に設定され（Ｓ71）、イメージ表示モードに切換えられてＳ61へ戻る。そして、イメージ解除キーが操作されると（Ｓ72：Yes ）、表示フラグＣＦが１に設定され（Ｓ73）、文字列表示モードに切換えられてＳ61へ戻る。
また、サンプル表示キーが操作されると（Ｓ74：Yes ）、表示フラグＣＦが３に設定され（Ｓ75）、サンプル印字表示モードに切換えられてＳ61へ戻る。そして、サンプル表示解除キーが操作されると（Ｓ76：Yes ）、表示フラグＣＦが１に設定され（Ｓ77）、文字列表示モードに切換えらてＳ61へ戻る。尚、Ｓ78とＳ79は、前記実施例のＳ53とＳ54と同様であるので説明を省略する。
【００４１】
以上説明したように、本実施例のラベル作成装置では、前記実施例と同様に、指定したラベル名を文字列表示させたり、印字状態のレイアウトイメージを表示させたりできるだけでなく、サンプル印字状態をも表示させることができるから、印字状態のレイアウトイメージからは十分に把握できない印字状態、特に、各行の配置状態、文字の配置や大きさを、一層的確に把握することができる。
【００４２】
次に、前記実施例についての補足説明、前記実施例を部分的に変更した種々の変更態様等について説明する。
１〕  ディスプレイ４をより大型のものに構成した場合には、文字列表示モードと、イメージ表示モードとを同時に設定するように構成することができる。即ち、ディスプレイの上部に指定されたラベル名の文字列を表示させ、また、ディスプレイの下段に指定されたラベル名に関する印字状態のレイアウトイメージを表示させるものとする。
【００４３】
或いは、文字列表示モードと、サンプル印字表示モードとを同時に設定するように構成することができる。即ち、ディスプレイの上部に指定されたラベル名の文字列を表示させ、また、ディスプレイの下段に指定されたラベル名に関するサンプル印字した印字状態を表示させるものとする。
或いは、文字列表示モードと、イメージ表示モードと、サンプル印字表示モードとを同時に設定するように構成することもできる。
【００４４】
２〕  前記別実施例におけるサンプル印字状態は、サンプルの文字列を印字した状態であるが、サンプルの文字列の各文字としては、塗り潰した正方形等を適用してもよい。
３〕  前記実施例は、テープ状ラベル作成装置に本発明を適用した場合を例として説明したが、前記実施例以外の種々のテープ状ラベル作成装置にも、本発明の趣旨を逸脱しない範囲で適用できるし、更には、ワードプロセッサー、パーソナルコンピュータ、ワークステーション、等の種々の文書処理装置にも、本発明を同様に適用することができる。
【００４５】
【発明の効果】
以上説明したように、本発明によれば次のような効果が得られる。
請求項１のテープ状ラベル作成装置によれば、書式情報記憶手段と、表示制御手段とを設け、ラベル名選択時に入力手段に設けられたイメージ解除キーを介して文字列表示モードが設定されたときには、書式設定手段から指定されたラベル名の表示情報を読み込んでラベル名の文字列を表示させるテキストデータ入力に際して、書式情報記憶手段に格納された複数の入力指示メッセージの文字列データを順々に読出して表示し、また、入力手段に設けられたイメージキーを介してイメージ表示モードが設定されたときには、書式情報記憶手段から指定されたラベル名に関するイメージ表示情報を読み込んで印字状態のレイアウトイメージを表示させるように構成したので、必要に応じて、簡単な操作で文字列表示モードとイメージ表示モードとを適宜使い分けることができること、イメージ表示モードにおいて印字状態のレイアウトイメージを表示させれば、操作マニュアル等をじっくり参照しなくとも、印字書式を即座に把握できるため、ラベル名選択を的確に誤りなく能率的に選択できること、等の効果が得られる。
【００４６】
請求項２のテープ状ラベル作成装置によれば、書式情報記憶手段と、表示制御手段とを設け、ラベル名選択時に入力手段に設けられたサンプル表示解除キーを介して文字列表示モードが設定されたときには、書式設定手段から指定されたラベル名の表示情報を読み込んでラベル名の文字列を表示させるテキストデータ入力に際して、書式情報記憶手段に格納された複数の入力指示メッセージの文字列データを順々に読出して表示し、また、入力手段に設けられたサンプル表示キーを介してサンプル印字表示モードが設定されたときには、書式情報記憶手段から指定されたラベル名に関するサンプル印字表示情報を読み込んでサンプル印字した印字状態を表示させるように構成したので、必要に応じて、簡単な操作で文字列表示モードとサンプル印字表示モードとを適宜使い分けることができること、サンプル印字表示モードにおいてサンプル印字した印字状態を表示させれば、操作マニュアル等をじっくり参照しなくとも、印字状態、特に各行の配置、文字の配置や大きさ等を、一層具体的に把握できるため、ラベル名選択を的確に誤りなく能率的に選択できること、等の効果が得られる。
【図面の簡単な説明】
【図１】  本発明の実施例に係るテープ状ラベル作成装置の斜視図である。
【図２】  テープカセットを装着したサーマル印字機構の平面図である。
【図３】  テープ状ラベル作成装置の制御系のブロック図である。
【図４】  ＲＯＭに格納された複数の固定ラベルのデータ構造の説明図表である。
【図５】  図４のデータ構造の固有情報テーブルのデータ構造の説明図表である。
【図６】  定型ラベル名と入力指示メッセージと最適テープ幅の説明図表である。
【図７】  テキスト入力制御のルーチンのフローチャートである。
【図８】  定型ラベル作成制御のサブルーチンのフローチャートである。
【図９】  ラベル名選択制御のサブルーチンのフローチャートである。
【図１０】  文字列表示モードにおける表示例を示す説明図である。
【図１１】  イメージ表示モードにおける表示例を示す説明図である。
【図１２】  作成されたテープ状ラベルの説明図である。
【図１３】  別実施例に係るラベル名選択制御のフローチャートの一部である。
【図１４】  図１３のラベル名選択制御のフローチャートの残部である。
【図１５】  サンプル印字表示モードにおける表示例を示す説明図である。
【符号の説明】
１  テープ状ラベル作成装置
３  キーボード
４  液晶ディスプレイ
１０  テープカセット
ＰＭ  サーマル印字機構
Ｃ    制御装置
４３  ＲＯＭ
５０  ＲＡＭ
５１  テキストメモリ
【図１】
0003892055.tif 000002
【図２】
0003892055.tif 000003
【図３】
0003892055.tif 000004
【図４】
0003892055.tif 000005
【図５】
0003892055.tif 000006
【図６】
0003892055.tif 000007
【図７】
0003892055.tif 000008
【図８】
0003892055.tif 000009
【図９】
0003892055.tif 000010
【図１０】
0003892055.tif 000011
【図１１】
0003892055.tif 000012
【図１２】
0003892055.tif 000013
【図１３】
0003892055.tif 000014
【図１４】
0003892055.tif 000015
【図１５】
0003892055.tif 000016